(57)【要約】  コンテナ型データセンター（１４）用の機器移動システム（１２）が提供される。システム（１２）は、機器（１８）を動作可能に受容するように構成された少なくとも１つのプラットフォーム（１６）を備える。好適な例において、システム（１２）は通常２つのプラットフォーム（１６）を備える。システム（１２）は一般的に、各プラットフォーム（１６）をコンテナ（１０）の機器設置面（２２）に動作可能に設置するガイド（２０）をさらに備える。各ガイド（２０）は、コンテナ（１０）の対向する側面（２４．１）と（２４．２）との間でプラットフォーム（１６）を案内するように構成されている。
2018533149.tif 000002
【特許請求の範囲】
【請求項１】
コンテナ型データセンター用機器移動システムであって、前記システムは、
機器を動作可能に受信するように構成された少なくとも１つのプラットフォームと、
前記少なくとも１つのプラットフォームをコンテナの機器設置面に設置するガイドであって、前記コンテナの対向する側面の間で前記プラットフォームを案内するように構成されたガイドと、
案内されたとおりに前記プラットフォームを移動させるように構成された少なくとも１つのアクチュエータと、
前記アクチュエータを制御するための制御システムであって、前記コンテナ内の前記少なくとも１つのプラットフォームの位置を監視し、異物が前記ガイドを妨害した場合に前記アクチュエータを停止させるように構成された制御システムと
を備え、
前記移動システムは、前記コンテナ内の前記機器のどちらかの側面への保守アクセスを容易にする、コンテナ型データセンター用機器移動システム。
【請求項２】
関連するガイドを有する２つのプラットフォームを備え、各プラットフォームおよびガイドは長尺コンテナのほぼ半分を占有し、前記プラットフォームおよびガイドは中央アクセス通路によって分離されている、請求項１に記載のシステム。
【請求項３】
前記プラットフォームは、サーバラック、データセンター器具類、給電および配電機器、並びに温度調節機器からなる群より選択された機器を受容するように構成されている、請求項１または２に記載のシステム。
【請求項４】
各プラットフォームは、複数のモジュール型機器ユニットを受容するように構成されている、請求項１から３のいずれか一項に記載のシステム。
【請求項５】
前記コンテナの前記機器設置面は、前記コンテナの床を含む、請求項１から４のいずれか一項に記載のシステム。
【請求項６】
前記コンテナの前記機器設置面は、前記コンテナの屋根を含む、請求項１から４のいずれか一項に記載のシステム。
【請求項７】
各ガイドは、前記コンテナの対向する側面の間でプラットフォームを案内するために、このようなプラットフォームを前記コンテナの前記機器設置面に設置するレールと車輪または車輪と軌道またはベルトと駆動装置の配列を備える、請求項１から６のいずれか一項に記載のシステム。
【請求項８】
前記アクチュエータは電気機械駆動装置を備える、請求項１から７のいずれか一項に記載のシステム。
【請求項９】
前記アクチュエータは変速電気機械駆動装置を備える、請求項８に記載のシステム。
【請求項１０】
それぞれのプラットフォーム用のアクチュエータを備える、請求項１から９のいずれか一項に記載のシステム。
【請求項１１】
前記制御システムは、一連の命令によって指定される基礎計算、論理、制御および／または入出力（Ｉ／Ｏ）操作を実行するように構成された電子回路を有する、任意の中央処理装置を含む、請求項１から１０のいずれか一項に記載のシステム。
【請求項１２】
前記中央処理装置はプログラマブル論理コントローラ（ＰＬＣ）を備える、請求項１１に記載のシステム。
【請求項１３】
前記制御システムは、前記コンテナ内の各プラットフォームの位置を監視するように構成されたセンサ配列を備える、請求項１から１２のいずれか一項に記載のシステム。
【請求項１４】
前記センサ配列は、異物および前記コンテナの側面までのプラットフォームの距離を検出するように構成された、ライトカーテンおよび距離測定センサを備える、請求項１３に記載のシステム。
【請求項１５】
機器を動作可能に受容するように構成された２つのプラットフォームと、各プラットフォームを長尺コンテナの機器設置面に設置するガイドとを有する機器移動システムを有するコンテナ型データセンターであって、
前記ガイドは、前記コンテナの対向する側面の間でプラットフォームを案内するように構成されており、各プラットフォームおよびガイド配列は、前記コンテナの一端を占有し、前記プラットフォームおよびガイド配列は、中央アクセス通路によって分離され、前記移動システムは、前記プラットフォーム上に設置された前記機器のどちらかの側面への保守アクセスを容易にする、コンテナ型データセンター。
【請求項１６】
案内されたとおりにプラットフォームを移動させるように構成された少なくとも１つのアクチュエータを備える、請求項１５に記載のコンテナ型データセンター。
【請求項１７】
アクチュエータを制御するための制御システムをさらに備え、前記制御システムは、前記コンテナ内の各プラットフォームの位置を監視し、異物がガイドを妨害した場合に前記アクチュエータを停止させるように構成されている、請求項１５に記載のコンテナ型データセンター。
【請求項１８】
前記プラットフォームは、サーバラック、データセンター器具類、給電および配電機器、並びに温度調節機器からなる群より選択された機器を受容するように構成されている、請求項１５に記載のコンテナ型データセンター。
【請求項１９】
各プラットフォームは、複数のモジュール型機器ユニットを受容するように構成されている、請求項１５に記載のコンテナ型データセンター。
【請求項２０】
前記コンテナの前記機器設置面は、前記コンテナの床を含む、請求項１５に記載のコンテナ型データセンター。
【請求項２１】
前記コンテナの前記機器設置面は、前記コンテナの屋根を含む、請求項１５に記載のコンテナ型データセンター。
【請求項２２】
各ガイドは、前記コンテナの対向する側面の間でプラットフォームを案内するために、このようなプラットフォームを前記コンテナの前記機器設置面に設置するレールと車輪または車輪と軌道またはベルトと駆動装置の配列を備える、請求項１５に記載のコンテナ型データセンター。
【請求項２３】
前記アクチュエータは電気機械駆動装置を備える、請求項１５に記載のコンテナ型データセンター。
【請求項２４】
前記アクチュエータは変速電気機械駆動装置を備える、請求項２３に記載のコンテナ型データセンター。
【請求項２５】
それぞれのプラットフォーム用のアクチュエータを備える、請求項１５に記載のコンテナ型データセンター。
【請求項２６】
前記制御システムは、一連の命令によって指定される基礎計算、論理、制御および／または入出力（Ｉ／Ｏ）操作を実行するように構成された電子回路を有する、任意の中央処理装置を含む、請求項１５に記載のコンテナ型データセンター。
【請求項２７】
前記中央処理装置はプログラマブル論理コントローラ（ＰＬＣ）を備える、請求項１５に記載のコンテナ型データセンター。
【請求項２８】
前記制御システムは、前記コンテナ内の各プラットフォームの位置を監視するように構成されたセンサ配列を備える、請求項１５に記載のコンテナ型データセンター。
【請求項２９】
前記センサ配列は、異物および前記コンテナの側面までのプラットフォームの距離を検出するように構成された、ライトカーテンおよび距離測定センサを備える、請求項２８に記載のコンテナ型データセンター。
【請求項３０】
請求項１から１４のいずれか一項に記載の機器移動システムを有するコンテナ型データセンター。
【請求項３１】
データセンター用機器移動システムであって、前記システムは、
機器を動作可能に受容するように構成された少なくとも１つのプラットフォームと、
前記少なくとも１つのプラットフォームを前記データセンターの機器設置面に設置するガイドであって、前記設置面の対向する側面の間でプラットフォームを案内するように構成されたガイドと、
案内されたとおりにプラットフォームを移動させるように構成された少なくとも１つのアクチュエータと、
前記アクチュエータを制御するための制御システムであって、前記設置面上の前記少なくとも１つのプラットフォームの位置を監視し、異物がガイドを妨害した場合に前記アクチュエータを停止させるように構成された制御システムと
を備え、
前記移動システムは、前記データセンターの前記設置面上の前記機器のどちらかの側面への保守アクセスを容易にする、データセンター用機器移動システム。
【発明の詳細な説明】
【技術分野】
【０００１】
本発明は、コンテナ型データセンター用機器移動システム、およびそのような機器移動システムを有するコンテナ型データセンターに関する。
【背景技術】
【０００２】
以下の背景技術の議論は、本発明の理解を容易にすることのみを意図するものである。この議論は、言及された資料のいずれかが、出願の優先日のような共通の一般知識であるか、またはその一部である、または過去にそうであったという確認または承認ではない。
【０００３】
インターネットは、互いに相互接続するピアまたはピアリングポイントのグローバルネットワークとして定義可能である。そのようなものとして、インターネットは、コンテンツおよびオンラインサービスの消費のためにユーザによって接続され得る、多くのそのようなネットワーク接続されたピアリングポイントから構成される。これらのピアリングポイントは、通常、データセンター（ＤＣ）またはインターネットエクスチェンジ（ＩＸ）として知られており、ユーザによるアクセスのために数千台、場合によっては数十万台のコンピュータ（サーバ）が安全な、ほとんどの場合特別仕様の設備に収容されている場所である。
【０００４】
より多くのピアリングポイントとインターネットエクスチェンジを提供することにより、インターネットの回復力および能力が向上し、ユーザによるコンテンツおよびサービスのより多くの接続および消費を可能にする。このような消費とアクセスの増加は、特にコスト、実用性、および可用性が関係する場合、これらの特別な施設の建設要件の変更をもたらす。
【０００５】
既存のデータセンターの設計、施工、および運用に対する従来のアプローチは、データセンターがカスタム設計された施設であり、時間、労力、コストがかかるなど、多くの欠点をもたらす。コンテナ型データセンターなど、何らかのモジュール型データセンターが存在する場合、設計および／または機器の能力に関して、認められた基準または一貫性がないことが多い。
【０００６】
同様に、コンテナ型データセンターは、従来のデータセンターが直面する多数の物流上の問題を克服しながら、非常に限られた保守アクセスおよび作業スペースの欠点を有する。コンテナ型データセンターを構築するために必要とされるコンピュータおよび関連機器は、コンテナ内に設置されると非常に限られたスペースしか残さず、そのような標準化されたコンテナ型構造を無効にする。
【発明の概要】
【発明が解決しようとする課題】
【０００７】
機器および能力の周りに適切な構成を有するモジュール化データセンター設計の必要性がある。以下の発明は、当該分野における既知の欠点に少なくとも部分的に可能な解決策を提案しようとするものである。
【課題を解決するための手段】
【０００８】
本明細書において「容器」とは一般的に、標準化出荷コンテナ、貨物または輸送コンテナ、ＩＳＯコンテナ、いわゆる船積、海上または海洋コンテナ、コンテナバンまたはボックス、コネックスボックスなどのようないずれかの一貫輸送コンテナを指すことを理解されたい。したがって、「コンテナ型」とは、このようなコンテナ内に配置または実装するために特別に適合、修正、または構成された任意の配列、機器、または器具類を指す。
【０００９】
本発明の第１の態様によれば、コンテナ型データセンター用機器移動システムが提供され、前記システムは、
機器を動作可能に受容するように構成された少なくとも１つのプラットフォームと、
前記少なくとも１つのプラットフォームをコンテナの機器設置面に設置するガイドであって、前記ガイドはコンテナの対向する側面の間でプラットフォームを案内するように構成されている、ガイドと、
案内されたとおりにプラットフォームを移動させるように構成された少なくとも１つのアクチュエータと、
アクチュエータを制御するための制御システムであって、前記制御システムは、コンテナ内の前記少なくとも１つのプラットフォームの位置を監視し、異物がガイドを妨害した場合にアクチュエータを停止させるように構成された、制御システムと、を備え、移動システムは、コンテナ内の機器のどちらかの側面への保守アクセスを容易にする。
【００１０】
一例において、システムは、関連するガイドを有する２つのプラットフォームを備え、各プラットフォームおよびガイドは長尺コンテナのほぼ半分を占有し、プラットフォームおよびガイドは中央アクセス通路によって分離されている。
【００１１】
通常、プラットフォームは、サーバラック、データセンター器具類、給電および配電機器、および温度調節機器からなる群より選択された機器を受容するように構成されている。
【００１２】
好ましくは、各プラットフォームは、複数のモジュール型機器ユニットを受容するように構成されている。
【００１３】
一例において、コンテナの機器設置面は、コンテナの床を含んでもよい。別の例において、コンテナの機器設置面は、コンテナの屋根を含んでもよい。
【００１４】
通常、各ガイドは、コンテナの対向する側面の間でこのようなプラットフォームを案内するために、プラットフォームをコンテナの機器設置面に設置するレールと車輪または車輪と軌道またはベルトと駆動装置の配列を備え得る。
【００１５】
通常、アクチュエータは、プラットフォームを移動させるように構成された、任意の方式の電気機械式、電磁式、油圧式、および／または空気圧式アクチュエータを備えてもよい。
【００１６】
一例において、アクチュエータは電気機械駆動装置を備える。好ましくは、アクチュエータは変速電気機械駆動装置を備える。
【００１７】
通常、システムは、それぞれのプラットフォーム用のアクチュエータを備える。
【００１８】
通常、制御システムは、一連の命令によって指定される基礎計算、論理、制御および／または入出力（Ｉ／Ｏ）操作を実行するように構成された電子回路を有する、任意の中央処理装置を含むことができる。
【００１９】
一実施形態において、中央処理装置はプログラマブルロジックコントローラ（ＰＬＣ）を備える。
【００２０】
通常、制御システムは、コンテナ内の各プラットフォームの位置を監視するように構成されたセンサ配列を備える。
【００２１】
好ましくは、センサ配列は、異物およびコンテナの側面までのプラットフォームの距離を検出するように構成された、ライトカーテンおよび距離測定センサを備えることができる。
【００２２】
本発明の第２の態様によれば、機器を動作可能に受容するように構成された２つのプラットフォームと、各プラットフォームを長尺コンテナの機器設置面に設置するガイドとを有する機器移動システムを有するコンテナ型データセンターが提供され、前記ガイドはコンテナの対向する側面の間でプラットフォームを案内するように構成されており、各プラットフォームおよびガイド配列は前記コンテナの一端を占有し、プラットフォームおよびガイド配列は中央アクセス通路によって分離され、移動システムはプラットフォーム上に設置された機器のどちらかの側面への保守アクセスを容易にする。
【００２３】
通常、コンテナ型データセンターは、案内されたとおりにプラットフォームを移動させるように構成された、少なくとも１つのアクチュエータをさらに備える。
【００２４】
通常、コンテナ型データセンターは、アクチュエータを制御するための制御システムをさらに備え、前記制御システムは、コンテナ内の各プラットフォームの位置を監視し、異物がガイドを妨害した場合にアクチュエータを停止させるように構成されている。
【００２５】
通常、プラットフォームは、サーバラック、データセンター器具類、給電および配電機器、および温度調節機器からなる群より選択された機器を受容するように構成されている。
【００２６】
好ましくは、各プラットフォームは、複数のモジュール型機器ユニットを受容するように構成されている。
【００２７】
一例において、コンテナの機器設置面は、コンテナの床を含んでもよい。別の例において、コンテナの機器設置面は、コンテナの屋根を含んでもよい。
【００２８】
通常、各ガイドは、コンテナの対向する側面の間でこのようなプラットフォームを案内するために、プラットフォームをコンテナの機器設置面に設置するレールと車輪または車輪と軌道の配列を備え得る。
【００２９】
通常、アクチュエータは、プラットフォームを移動させるように構成された、任意の方式の電気機械式、電磁式、油圧式、および／または空気圧式アクチュエータを備えてもよい。
【００３０】
一例において、アクチュエータは電気機械駆動装置を備える。好ましくは、アクチュエータは変速電気機械駆動装置を備える。
【００３１】
通常、システムは、それぞれのプラットフォーム用のアクチュエータを備える。
【００３２】
通常、制御システムは、一連の命令によって指定される基礎計算、論理、制御および／または入出力（Ｉ／Ｏ）操作を実行するように構成された電子回路を有する、任意の中央処理装置を含むことができる。
【００３３】
一実施形態において、中央処理装置はプログラマブルロジックコントローラ（ＰＬＣ）を備える。
【００３４】
通常、制御システムは、コンテナ内の各プラットフォームの位置を監視するように構成されたセンサ配列を備える。
【００３５】
好ましくは、センサ配列は、異物およびコンテナの側面までのプラットフォームの距離を検出するように構成された、ライトカーテンおよび距離測定センサを備えることができる。
【００３６】
本発明の第３の態様によれば、本発明の第１の態様による機器移動システムを有するコンテナ型データセンターが提供される。
【００３７】
本発明の第４の態様によれば、データセンター用機器移動システムが提供され、前記システムは、
機器を動作可能に受容するように構成された少なくとも１つのプラットフォームと、
前記少なくとも１つのプラットフォームをデータセンターの機器設置面に設置するガイドであって、前記ガイドは表面の対向する側面の間でプラットフォームを案内するように構成されている、ガイドと、
案内されたとおりにプラットフォームを移動させるように構成された少なくとも１つのアクチュエータと、
アクチュエータを制御するための制御システムであって、前記制御システムは、表面上の前記少なくとも１つのプラットフォームの位置を監視し、異物がガイドを妨害した場合にアクチュエータを停止させるように構成された、制御システムと、を備え、移動システムは、データセンターの表面上の機器のどちらかの側面への保守アクセスを容易にする。
【００３８】
本発明のさらなる特徴は、そのいくつかの非限定的実施形態の以下の説明においてより十分に説明される。この説明は、本発明を例示する目的のためにのみ含まれる。上記のような本発明の広範な要約、開示または説明に対する制限として理解されるべきではない。以下、添付図面を参照して説明する。
【図面の簡単な説明】
【００３９】
【図１】本発明の一態様による、機器移動システムを有するコンテナ型データセンターの一例の斜視概略図である。
【図２】機器移動システムの一例の底面斜視概略図である。
【図３】図２の機器移動システムの正面概略図である。
【発明を実施するための形態】
【００４０】
１つ以上の好ましい実施形態の主題のより正確な理解を提供するために、単なる例示として与えられる以下の形態を説明する。
【００４１】
例示的実施形態の特徴を示すために組み込まれた図面において、図面全体を通して同様の参照番号が同様の部分を識別するために使用される。
【００４２】
ここで添付図面を参照すると、コンテナ型データセンター１４用の機器移動システム１２の一例が示されている。
【００４３】
一般に、システム１２は、機器１８を動作可能に受容するように構成された、少なくとも１つのプラットフォーム１６を備える。図に示す好適な例では、システム１２は通常、図示のように２つのプラットフォーム１６を備える。
【００４４】
システム１２は一般的に、図示されるように、各プラットフォーム１６をコンテナ１０の機器設置面２２上に動作可能に設置する、ガイド２０をさらに備える。各ガイド２０は、コンテナ１０の対向する側面２４．１と２４．２との間でプラットフォーム１６を案内するように構成されている。
【００４５】
他の実施形態は異なる数のプラットフォーム１６を備えてもよいことは、理解されるべきである。例えば、１つの例は、コンテナ１０の一方の側面に位置する中央アクセス通路を有する単一のプラットフォーム１６を特徴としてもよい。あるいは、別の例では、１つ以上のそのようなプラットフォームの間に配置された適切なアクセス通路３０を有する３つ以上のプラットフォーム１６などを特徴としてもよい。
【００４６】
コンテナ１０の機器設置面２２が、設計要件に応じて、コンテナ１０の床または屋根を含んでもよいことは、さらに理解されるべきである。図示される例では、機器１８は、プラットフォーム１６を介してコンテナ１０の設置されている。しかしながら、さらなる例では、ガイド２０は、コンテナ１０の屋根から機器１８と共にプラットフォーム１６を吊ることができる。
【００４７】
通常、各プラットフォーム１６は、サーバラック、データセンター器具類、給電および配電機器、および／または例えば空調ユニットのような温度調節機器など、データセンターを形成する機器１８を受容するように、通常は構成されている。好適な実施形態では、各プラットフォーム１６は、図示のように、複数のモジュール型機器ユニット１８を受容するように構成されている。例えば、プラットフォーム１６は、機器１８などを受容するための適切な取り付け点または固定点を画定することができる。
【００４８】
例示された形態では、各プラットフォーム１６およびガイド２０の配列は、図示されるように、長尺コンテナ１０のほぼ半分を占有し、２つのプラットフォーム１６およびこれらに関連するガイド２０が中央アクセス通路３０によって分離されている。
【００４９】
一例において、各ガイド２０は、各プラットフォーム１６をコンテナ１０の機器設置面２２、すなわち床または屋根に取り付ける、レールと車輪または車輪と軌道の配列を備える。このようにして、ガイド２０は、図示されるように、コンテナ１０の対向する側面２４．１と２４．２との間でプラットフォーム１６の移動を案内または制限することができる。
【００５０】
好ましくは、システム１２は、プラットフォーム１６をそのそれぞれのガイド２０によって案内されたとおりに移動させるように構成された、少なくとも１つのアクチュエータ２６をさらに備える。アクチュエータ２６は、プラットフォーム１６を移動させるように構成された、任意の方式の電気機械式、電磁式、油圧式、および／または空気圧式アクチュエータを備えてもよい。この例では、アクチュエータ２６は、変速電気機械駆動装置などの電気機械駆動装置を備える。
【００５１】
一例において、システム１２は、それぞれのプラットフォーム１６用のアクチュエータ２６を備える。しかしながら、別の実施形態では、システム１２は、それぞれのプラットフォーム１６などとの適切なリンクを有する、１つのアクチュエータ２６を含んでもよい。
【００５２】
好適な実施形態においては、システム１２はまた、アクチュエータ２６を制御するように構成された制御システム２８も含む。加えて、制御システム２８は通常、コンテナ１０内の各プラットフォーム１６の位置を監視し、異物がガイド２０を妨害した場合に関連するアクチュエータ２６を停止させるように、さらに構成されている。
【００５３】
例えば、異物は、コンテナ１０の一方の側面２４．１から他方の側面２４．２に移動するプラットフォーム１６の途中にあるもの、例えばユーザ３４、工具などを含んでもよい。
【００５４】
このように、制御システム２８は通常、一連の命令によって指定される基礎計算、論理、制御および／または入出力（Ｉ／Ｏ）操作を実行するように構成された電子回路を有する、任意の適切な中央処理装置を含む。好適な実施形態では、中央処理装置はプログラマブルロジックコントローラ（ＰＬＣ）などを備える。
【００５５】
加えて、制御システム２８は一般的に、コンテナ１０内の各プラットフォーム１６の位置を監視するように構成されたセンサ配列３２を備える。例えば、センサ配列３２は、移動中のプラットフォーム１６の経路内の異物、ならびにコンテナ１０の側面２４までのプラットフォーム１６の距離などを検出するように構成された、ライトカーテンおよび距離測定センサを備えてもよい。
【００５６】
制御システム２８は通常、スイッチのような適切な起動部を用いてユーザにより起動される。例えば、ユーザ３４は、プラットフォーム１６のうちの１つに収容されたサーバラック１８の保守を行うために、中央アクセス通路３０によってコンテナ１０に入る。
【００５７】
このような保守は、関連するサーバラック１８の両側面へのアクセスを必要とする。システム１２が各プラットフォーム１６をコンテナのいずれかの側面２４に移動できるようにすることにより、コンテナ１０の長さに沿った専用のアクセス通路を必要とせずに、ユーザ３４がサーバラック１８の両側面にアクセスすることを可能にする。
【００５８】
これは、サーバ機器１８のいずれかの側面への保守アクセスを可能にする一方で、コンテナ１０への変更を必要とせずに標準サイズのサーバラック１８がコンテナ１０に収容可能となるので、特に有利である。
【００５９】
ユーザ３４は、上述のように、機器１８の一方の側面を作業および修理し、次に中央アクセス通路３０に戻り、制御システム２８を起動して、コンテナ１０の一方の側面２４．１から他方の側面２４．２まで関連するプラットフォーム１６を動かすかまたは移動させることができる。
【００６０】
関連するプラットフォーム１６が移動してしまうと、プラットフォーム１６がコンテナ１０の他方の側面２４．２に移動した後に形成された通路を歩くことによって、機器１８の他方の側面がアクセス可能となる。このようにして、移動システム１２は、コンテナ１０内の機器１８のいずれかの側面への保守アクセスを容易にする。
【００６１】
加えて、制御システム２８は、センサ配列３２によって移動中のプラットフォーム１６の経路内のいかなるものも監視することにより、機器およびユーザ３４の安全性および完全性を保証することができる。ユーザまたは道具などの異物が検出されると、アクチュエータは、関連するアクチュエータ２６を停止させることによってプラットフォーム１６の動きを防止または停止する。
【００６２】
本発明はまた、上述のように、機器移動システム１２を含む、コンテナ型データセンター１４も包含する。
【００６３】
上述したように、本発明は、それぞれの機器１８の前部または後部位置の作業スペースを増加させるため、標準的なＩＳＯ出荷コンテナ１０内のサーバ／機器ラック１８の列を移動させるための、自動システム１２を提供することができる。
【００６４】
一例において、システム１２は、サーバラック１８にしっかりと取り付けるように設計されたプラットフォーム１６または設置板からなる。この床板システムはモジュール式であり、プラットフォームまたは板１６は、異なるサイズのラック１８を他のラックと一列に配置できるようにするため、交換可能である。
【００６５】
この構成は、異なる種類の機器１８をコンテナ１０内に設置すること、または追加の冷却または電力保護または配電機器を搭載することなどを、可能にする。図示されるように、ラック１８の前部または後部へのアクセスを増加させるために、１つのプラットフォーム１６は、コンテナ１０の１つの側面２４．１に移動することができる。
【００６６】
一例において、最大９台の６００ｍｍ幅または標準的な１９インチのサーバラックおよび冷却機器で各々作られた、床部分またはプラットフォーム１６全体は、変速駆動（ＶＳＤ）電動モータの形態の１つのアクチュエータ２６と共に移動するが、このアクチュエータはガイド２０の様々な車輪を駆動するために駆動シャフトに取り付けられている。コンテナ１０の床は、軌道と、列車の線路と類似の、軌道の溝内を走る成形車輪と、を含む。
【００６７】
ＶＳＤは、床プラットフォーム１６が常に正しい位置にあることを保証するために、光安全カーテンおよび光距離測定装置またはセンサ配列３２を含む制御システム２８を備える、ＰＬＣおよび安全ＰＬＣシステムを介してプログラムされる。
【００６８】
図２に示されるように、床板またはプラットフォーム１６の下面は、上述のように、駆動シャフト、車輪（各車輪は軌道内に個々に整列されている−４つのみ示されている）および、アクチュエータ２６を有するガイド２０を基本的に備える、中央に設置されたＶＳＤ伝導モータ２６に沿って見られる。
【００６９】
システム１２は、他のデータセンター構成でも使用することができ、コンテナ型データセンターに限定されるものではないことは、理解されるべきである。例えば、システム１２は、建物内に搭載装された従来のデータセンターなどに使用されてもよい。
【００７０】
本出願人は、システム１２が、標準的なコンテナサイズ１０のいずれかの中に、機器１８を搭載した床片またはプラットフォーム１６全体の制御された移動を可能にすることが、特に有利であると考えている。標準的な出荷コンテナ１０の範囲内にデータセンターを施工できることは、このようなコンテナ型データセンター１４を構築し、管理し、配備することが、物流的により容易であってかなり安価であることを、意味する。同様に、システム１２は、スペースが限られている他のデータセンターにも用途を見いだすことができる。
【００７１】
本発明の任意の実施形態は、２つ以上の部品、要素または特徴の任意のまたはすべての組み合わせにおいて、個々にまたは集合的に、本明細書で言及または指示される部品、要素および特徴に広く含まれるとも言うことができ、本発明が関連する当該分野の既知の等価物を有する整数が本明細書に記載されているが、このような既知の均等物は、個々に明記されているかのように本明細書に組み込まれるものとみなされる。
【００７２】
本発明の「一例」または「例」への言及が排他的な意味でなされていないことは、理解されるべきである。したがって、一例は本発明の特定の態様を例示することができ、他の態様は、異なる例において例示される。これらの例は、当業者が本発明を実施するのを助けることを意図するものであり、文脈上別途明白に示さない限り、本発明の全範囲を限定するものではない。
【００７３】
上記の用語は説明目的のためのものであり、限定するとみなされるものではないことは、理解されるべきである。記載された実施形態は、その範囲を限定することなく、本発明を説明することを意図している。本発明は、当業者には容易に想到されるように、様々な修正および追加を伴って実施すされることが可能である。
【００７４】
もしあれば、請求される主題を実施するために本発明者に知られている最良の形態を含む、本文および／または図式的に、実質的および具体的に実用的で有用な様々な例示的実施形態が、本文のようにおよび／または図式的に、本明細書に記載される。本明細書に記載された１つ以上の実施形態の変形例（例えば、修正例および／または補強例）は、この出願を読むことによって当業者に明らかになるであろう。
【００７５】
本発明者は、当業者がそのような変形例を適切に採用することを期待しており、本発明者は、請求される主題が本明細書に具体的に記載されたもの以外の態様で実施されるよう意図している。したがって、法律で許可されているように、請求される主題は、請求される主題のすべての等価物および主張される主題に対するすべての改善を含み、網羅する。また、上記の要素、活動、およびこれらの可能なすべての変形例のすべての組み合わせは、本明細書で別途明白に示され、明白かつ具体的に否定され、または文脈と明らかに矛盾するのでない限り、請求される主題に包含される。
【００７６】
本明細書で提供されるあらゆる例、または例示的な用語（例えば、「〜など」）の使用は、１つ以上の実施形態をよりよく照らすことを意図しており、特記しない限り、いずれの請求される主題の範囲も限定するものではない。本明細書のいかなる言葉も、請求されていない主題を請求された主題の実施に不可欠であることを示すと解釈されるべきではない。
【００７７】
配向または移動方向を示す言葉の使用は、限定的なものとみなされるべきではない。したがって、「前」、「後」、「後方」、「側面」、「上」、「下」、「上方」、「下方」、「上部」、「底部」、「前へ」、「後へ」、「〜に向かって」、「遠位」、「近位」、「内」、「外」、ならびこれらの同義語、反意語および派生語は、文脈が別途指示しない限り、便宜上のみのために選択されている。本発明者は、請求される主題の様々な例示的実施形態を任意の具体的配向で供給することができ、請求される主題は、このような配向を含むよう意図していると、想定している。
【００７８】
様々な実施形態（特に、添付の請求項の文脈において）を説明する文脈における用語「ａ」、「ａｎ」、「ｓａｉｄ」、「ｔｈｅ」および／または同様の指示対象の使用は、本明細書中に別途記載され限り、または文脈と明らかに矛盾しない限り、単数形および複数形の両方を網羅すると解釈されるべきである。「備える」、「有する」、「含む」および「含有する」という用語は、別途記載がない限り、比限定的な用語（すなわち、「含むが、これに限定されない」を意味する）として解釈されるべきである。
【００７９】
また、本明細書においていずれかの数字または範囲が記載されている場合、別途明記されない限り、その数字または範囲は概数である。本明細書における値の範囲の列挙は、本明細書中に別途指示がない限り、範囲内の各別個の値を個々に参照する簡略方法として役立つように意図しており、このような別個の値によって定義される各個別の小範囲は、あたかも本明細書中に個別に列挙されていように本明細書に組み込まれる。例えば、１から１０の範囲が記載されている場合、この範囲は、例えば１．１，２．５，３．３３５，５，６．１７９，８．９９９９などその間のすべての値を含み、例えば１から３．６５，２．８から８．１４，１．９３から９など、その間のすべての小範囲を含む。
【００８０】
したがって、本願の請求項自体を除くすべての部分（例えば、発明の名称、技術分野、背景技術、概要、説明、要約、図面など）は、限定的ではなく本質的に説明的であるとみなされるべきであり、この出願に基づいて発行する特許によって保護される主題の範囲は、この特許の請求項によってのみ定義される。
【図１】
2018533149.tif 000003
【図２】
2018533149.tif 000004
【図３】
2018533149.tif 000005
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
機器を動作可能に受容するように構成された２つのプラットフォームと、各プラットフォームを長尺コンテナの機器設置面に設置するガイドとを有する機器移動システムを有するコンテナ型データセンターであって、
前記ガイドは、前記コンテナの対向する側面の間でプラットフォームを案内するように構成されており、各プラットフォームおよびガイド配列は、前記コンテナの一端を占有し、前記プラットフォームおよびガイド配列は、中央アクセス通路によって分離され、前記移動システムは、前記プラットフォーム上に設置された前記機器のどちらかの側面への保守アクセスを容易にする、コンテナ型データセンター。
【請求項２】
案内されたとおりにプラットフォームを移動させるように構成された少なくとも１つのアクチュエータを備える、請求項１に記載のコンテナ型データセンター。
【請求項３】
アクチュエータを制御するための制御システムをさらに備え、前記制御システムは、前記コンテナ内の各プラットフォームの位置を監視し、異物がガイドを妨害した場合に前記アクチュエータを停止させるように構成されている、請求項１に記載のコンテナ型データセンター。
【請求項４】
前記プラットフォームは、サーバラック、データセンター器具類、給電および配電機器、並びに温度調節機器からなる群より選択された機器を受容するように構成されている、請求項１に記載のコンテナ型データセンター。
【請求項５】
各プラットフォームは、複数のモジュール型機器ユニットを受容するように構成されている、請求項１に記載のコンテナ型データセンター。
【請求項６】
前記コンテナの前記機器設置面は、前記コンテナの床を含む、請求項１に記載のコンテナ型データセンター。
【請求項７】
前記コンテナの前記機器設置面は、前記コンテナの屋根を含む、請求項１に記載のコンテナ型データセンター。
【請求項８】
各ガイドは、前記コンテナの対向する側面の間でプラットフォームを案内するために、このようなプラットフォームを前記コンテナの前記機器設置面に設置するレールと車輪または車輪と軌道またはベルトと駆動装置の配列を備える、請求項１に記載のコンテナ型データセンター。
【請求項９】
前記アクチュエータは電気機械駆動装置を備える、請求項１に記載のコンテナ型データセンター。
【請求項１０】
前記アクチュエータは変速電気機械駆動装置を備える、請求項９に記載のコンテナ型データセンター。
【請求項１１】
それぞれのプラットフォーム用のアクチュエータを備える、請求項１に記載のコンテナ型データセンター。
【請求項１２】
前記制御システムは、一連の命令によって指定される基礎計算、論理、制御および／または入出力（Ｉ／Ｏ）操作を実行するように構成された電子回路を有する、任意の中央処理装置を含む、請求項１に記載のコンテナ型データセンター。
【請求項１３】
前記中央処理装置はプログラマブル論理コントローラ（ＰＬＣ）を備える、請求項１に記載のコンテナ型データセンター。
【請求項１４】
前記制御システムは、前記コンテナ内の各プラットフォームの位置を監視するように構成されたセンサ配列を備える、請求項１に記載のコンテナ型データセンター。
【請求項１５】
前記センサ配列は、異物および前記コンテナの側面までのプラットフォームの距離を検出するように構成された、ライトカーテンおよび距離測定センサを備える、請求項１４に記載のコンテナ型データセンター。
【国際調査報告】
2018533149.tif 000006
2018533149.tif 000007
2018533149.tif 000008